(57)【要約】【課題】ホルダー部を持ちやすく、大きなトルクをかけて安定して回転でき、ねじ止め等を容易に、しかも確実に行える手動工具を提供する。【解決手段】複数の工具１０をホルダー部２から選択的に揺動突出させて使用する手動工具１は、ホルダー部２が間隔を有して対向する２枚のホルダー板３，４と、２枚のホルダー板を連結する３本の連結軸２０〜２２とを備え、２枚のホルダー板は、板中央部５から３方向に突出する３つの突出板部６を有し、３本の連結軸は３つの突出板部にそれぞれ固定され、複数の工具は３本の連結軸の各々に揺動可能に支持され、間隔Ｓ内に収容可能である。連結軸２０は、突出板部６の中心線ＣＬ１から距離ｘ１だけ偏移した位置に固定され、ホルダー部２は複数の工具の揺動範囲を規制するストッパ軸２５，２６を連結軸と平行に中心線ＣＬ１から反対側に距離ｙ１だけ偏移した位置に備える。【選択図】  図１
2004358592.tif 000002
【特許請求の範囲】
【請求項１】
複数の工具をホルダー部から選択的に揺動突出させて使用する手動工具であって、
前記ホルダー部は間隔を有して対向する２枚のホルダー板と、前記２枚のホルダー板を連結する３本の連結軸とを備え、前記２枚のホルダー板は、板中央部から３方向に突出する３つの突出板部を有し、前記３本の連結軸は前記３つの突出板部にそれぞれ固定され、前記複数の工具は前記３本の連結軸の各々に揺動可能に支持され、前記間隔内に収容可能である手動工具。
【請求項２】
前記３本の連結軸は、それぞれ前記突出板部の中心線から偏移した位置に固定されることを特徴とする請求項１に記載の手動工具。
【請求項３】
前記ホルダー部は、前記複数の工具の揺動範囲を規制するストッパ軸を前記連結軸と平行に備え、前記複数の工具の内の揺動された工具が前記ストッパ軸に当接したとき、揺動された工具の中心線と前記突出板部の中心線とが略一致するように前記２枚のホルダー板間に固定されることを特徴とする請求項１又は２に記載の手動工具。
【請求項４】
前記ホルダー部は、前記選択され揺動された工具の先端方向を照射する照明装置を前記ホルダー部から出没可能に備えることを特徴とする請求項１〜３のいずれかに記載の手動工具。
【請求項５】
前記照明装置は、前記ホルダー部の中心部に配置され、前記選択され揺動された工具の先端方向に向けて照明するべく前記ホルダー部に回転可能に支持されていることを特徴とする請求項４に記載の手動工具。
【発明の詳細な説明】
【０００１】
【発明の属する技術分野】
本発明は、プラスドライバ、マイナスドライバ、六角棒スパナ等の複数の工具を選択的に使用できる手動工具に係り、特に、握りやすいホルダー部を備え、ねじや六角穴付ボルト等を回転しやすく確実に締め付けできる手動工具に関する。
【０００２】
【従来の技術】
従来、この種の手動工具としては、図５に示すような複数の工具を選択して使用できる手動工具５０がある。この手動工具は本体のホルダー部５１の両端に、複数の工具を揺動自在に取付ける２本の支持軸５２を備えており、プラスねじやマイナスねじ、六角穴付ボルト等をねじ込むためのプラスドライバ５３やマイナスドライバ５４、六角棒スパナ５５，５６等を本体のホルダー部から突出させて使用するように構成されている。
【０００３】
【発明が解決しようとする課題】
ところで、前記構造の手動工具は、図５ｂに示すように、複数の工具の内から使用する工具５６を選択し、支持軸５２を中心として選択された工具を揺動させて本体のホルダー部５１から突出させて使用する。このようにして突出された工具は、図５ｂに示すようにホルダー部の中心線Ｌ１と工具の中心線Ｌ２とがずれている。このため、例えば六角棒スパナやドライバ等を回転させるとき前記のずれによりホルダー部を工具の中心線Ｌ２に対して偏心した状態で回転させるため回転させずらく、ボルトやねじに大きな回転トルクをかけることが難しく、確実に締め付けることができなかった。
【０００４】
また、突出している工具５６は、支持軸５２を中心に２点鎖線で示したように、どちらの方向でも旋回してしまうため、工具先端がふらついて同様に大きな回転トルクをかけることが難しかった。さらに、先端を回転させる工具に対してホルダー部は幅Ｗが小さく、工具中心線Ｌ１に対してホルダー５１を回転させる半径が小さいため工具に大きなトルクがかからないという問題点がある。そして、工具の長手方向とホルダー部の長手方向とが一致しているため、ホルダー部を持ちにくく回転操作がしにくいという問題点もある。
【０００５】
本発明は、このような問題に鑑みてなされたものであって、その目的とするところは、ホルダー部を握りやすく、工具先端に大きなトルクをかけることができ、工具先端が振れることを防止できる手動工具を提供することにある。また、ねじやボルトに大きなトルクをかけて確実に締め付けることができると共に、暗所でも作業が可能な手動工具を提供することにある。
【０００６】
【課題を解決するための手段】
前記目的を達成すべく、本発明に係る手動工具は、複数の工具をホルダー部から選択的に揺動突出させて使用する工具で、前記ホルダー部は間隔を有して対向する２枚のホルダー板と、２枚のホルダー板を連結する３本の連結軸とを備え、ホルダー板は、板中央部から３方向に突出する３つの突出板部を有し、３本の連結軸は３つの突出板部にそれぞれ固定され、複数の工具は３本の連結軸の各々に揺動可能に支持され、間隔内に収容可能であることを特徴とする。
【０００７】
前記のごとく構成された本発明の手動工具は、ホルダー部が３つの突出板部を有しているため、選択され揺動された工具が支持された突出板部を中指と薬指の間に挟んで握れるので本体のホルダー部を握りやすい。また、揺動された工具先端がホルダー部の突出板部から外方に突出しているためホルダー部を回転しやすく、しかもホルダー部は幅が広いためボルトやねじ等に大きなトルクをかけることができる。この結果、ねじやボルトを確実に締め付けることができる。
【０００８】
また、本発明に係る手動工具の好ましい具体的な態様としては、前記３本の連結軸は、それぞれ突出板部の中心線から偏移した位置に固定されることを特徴としている。すなわち、工具は基端側が一方向に曲げられ、英小文字の「ｂ」のような形状で工具先端と揺動中心とがずれている場合でも、工具先端の中心線とホルダー部の中心線とを略一致させることができる。これにより、工具中心線に対してホルダー部を回しやすくなるため、ねじ止め等の作業を容易に効率良く行うことができる。
【０００９】
さらに、本発明に係る手動工具の好ましい具体的な他の態様としては、前記ホルダー部は、複数の工具の揺動範囲を規制するストッパ軸を連結軸と平行に備え、複数の工具の内の揺動された工具がストッパ軸に当接したとき、揺動された工具の中心線と突出板部の中心線とが略一致するように２枚のホルダー板間に固定されることを特徴としている。ストッパ軸の外径は、工具の太さに合わせて変えることが望ましい。この構成によれば、工具は連結軸を中心として揺動してストッパ軸と当接し、工具の中心線とホルダー部の中心線とが略一致して同じ方向を向き、それ以上の回転は防止されるため工具先端が振れることがなくなり、選択揺動された工具の回転中心が移動しないため、操作が容易となるとともに大きなトルクをねじ等に加えることができる。
【００１０】
さらに、前記ホルダー部は、選択され揺動された工具の先端方向を照射する照明装置をホルダー部から出没可能に備えることが好ましい。この構成によれば、照明装置をホルダー部の中央部から突出させて工具先端に向けて照明できるため、暗所でのねじ締めやボルト締め等を容易に行える。また、前記照明装置は、ホルダー部の中心部に配置され、選択され揺動された工具の先端方向に向けて照明するべくホルダー部に回転可能に支持されていると好適である。このように構成された本発明の手動工具は、１つの照明部を回転させて選択揺動された工具の方向を照射することができ、暗所での作業を容易に行える。
【００１１】
【発明の実施の形態】
以下、本発明に係る手動工具の一実施形態を図面に基づき詳細に説明する。図１は、本実施形態に係る手動工具の正面図と右側面図、図２は、図１の手動工具の平面図と底面図、図３は、図１のＡ−Ａ線に沿う照明装置部分の要部断面図で、非点灯時と点灯時を示しており、図４は図３のＢ−Ｂ線断面図と、回転時の断面図である。なお、各図は見やすくするために、一部奥側の構成を省略して表現している。
【００１２】
図１，２において、手動工具１は、ホルダー部２に収容されたプラスドライバ、マイナスドライバ、六角棒スパナ等の複数の工具１０の中から使用する工具を選んで、ホルダー部２より揺動突出させて使用するものである。本実施形態では、複数の工具１０として、プラスドライバ１１、マイナスドライバ１２、それぞれ１本ずつと、太さの異なる６本の六角棒スパナ１３〜１５と、チェーン切り１６とを備えている。
【００１３】
ホルダー部２は２枚のホルダー板３，４と、ホルダー板３，４を間隔Ｓを有して支持する３本の連結軸２０，２１，２２とを備えており、間隔Ｓ部分が複数の工具１０の収容空間となっている。ホルダー板３，４はアルミ板等の金属板や、合成樹脂板から形成され、平面形状が三角形を基本とする形状をしている。すなわち、三角形の３頂点を丸くした、いわゆるおむすび型や、中心から３方向に突出する略Ｙ型の形状や、三角形の３頂点を直線や曲線で面取りした形状等をしている。本実施形態のホルダー板は、板中央部５から１２０度の等間隔で３方向に突出板部６が突出する略Ｙ型を基本としており、左右対称形状となっている。
【００１４】
２枚のホルダー板３，４は、３本の連結軸２０，２１，２２で間隔Ｓをあけて連結固定されている。連結軸の両端にはねじ穴（図示せず）が形成され、このねじ穴に六角穴付ボルトをねじ込んでホルダー板３，４を連結固定している。なお、連結軸とホルダー板との固定は、前記したねじ止めの他に、圧入、カシメ等で、適宜固定してもよい。そして、この間隔Ｓ内に複数の工具１０としてプラスドライバ、マイナスドライバ、六角棒スパナや他の工具等が挿入され、連結軸２０，２１，２２に揺動可能に支持されている。
【００１５】
また、２枚のホルダー板３，４は、対向する内面は平坦であり、外面は中央部が薄く平坦で、徐々に厚くなるように傾斜し、厚い平坦面のあと、徐々に傾斜して薄くなるように形成されている。そして、前記の外面側の各面は図１ａに示すように円周状に形成されている。このため、ホルダー部２は外周の突部が面取りされ、中央部が薄くなっているため握りやすい形状となっている。そして、ホルダー板３，４の外周辺の中央部には円弧状の凹部が形成され、この凹部により収容された複数の工具が露出している。この凹部を利用して内部の工具に指先を掛けて容易に揺動させることができる。
【００１６】
本実施形態では連結軸２０には、中間にプラスドライバ１１が支持され、その両側に大径の六角棒スパナ１３と中径の六角棒スパナ１４とが位置している。また、連結軸２１にはサイズの異なる４本の小径の六角棒スパナ１５Ａ〜１５Ｄと中間にマイナスドライバ１２が支持され、連結軸２２には他の工具として、自転車等のチェーンを切断するチェーン切り１６が支持されている。１つの連結軸に複数の工具が支持される場合には、間にスペーサリング１７が介在されて各々の工具１０の揺動を容易にしている。各工具は連結軸に隙間なく嵌合されており、摩擦力に抗して揺動するように構成されている。
【００１７】
複数の工具１０は先端部に対して基部が一方向に湾曲されてリング部が形成され、正面形状が英小文字「ｂ」のような左右が非対称の形状をしている。例えばプラスドライバ１１は、図１ａに示すように、工具の先端部１１ａに対して基部がリング部１１ｂとなっており、このリング部１１ｂの内径が連結軸２０の外径より大きく形成され、プラスドライバ１１は連結軸２０に対して揺動可能となっている。このリング部１１ｂの中心線Ｌ１と工具先端部１１ａの中心線Ｌ２とがずれた構成となっている。このため、工具の中心線Ｌ２とホルダー部２の中心線ＣＬ１とを略一致させるように、工具を支持する連結軸２０はホルダー部２の中心線ＣＬ１より片側に偏移している。
【００１８】
すなわち、連結軸２０の中心は、ホルダー板３の１つの突出板部６の中心線ＣＬ１から距離ｘ１だけ偏移しており、複数の工具１０は連結軸に対して約１５０度の角度で揺動するように構成されている。連結軸２０の中心線Ｌ１とホルダー部２の中心線ＣＬ１との距離ｘ１は、この連結軸に支持される工具の外径に合わせて設定される。すなわち、連結軸２０に支持される工具の外径は大きいため、距離ｘ１は大きく設定され、連結軸２１に支持される工具の外径は小さいため距離ｘ２は小さく設定されている。このように、支持される工具の外径に合わせて偏移の距離ｘ１，ｘ２を設定するため、どの工具も揺動させたときにホルダー部２の中心線と略一致する。
【００１９】
ホルダー板３，４の間には２本のストッパ軸２５，２６が挟まれた状態で固定されており、これらのストッパ軸は３本の連結軸２０〜２２と平行状態に固定されている。ストッパ軸２５は突出板部６の前記中心線ＣＬ１より連結軸２０と反対側に距離ｙ１だけ偏移すると共に連結軸２０より外周側に位置しており、工具に合わせて直径が変化した段付軸となっている。同様に、ストッパ軸２６は他の突出板部６の中心線ＣＬ２より連結軸２１と反対側に距離ｙ２だけ偏移すると共に連結軸２１より外周側に位置しており、工具に合わせて直径が変化した段付軸となっている。
【００２０】
例えば、ストッパ軸２５のプラスドライバ１１が当接する中央部２５ａの外径は、プラスドライバ１１が揺動して当接したときにホルダー部２の中心線ＣＬ１と略一致する方向になるような外径に設定され、これより大径の六角棒スパナ１４が当接する図１ｂのストッパ軸の右方部２５ｂの外径はやや小さく形成され、さらに大径の六角棒スパナ１３が当接する図１ｂの左方部２５ｃの外径はさらに小さく形成されている。この結果、太さの異なる工具を揺動させてもストッパ軸と当接する位置が異なって、どの工具もホルダー部２の中心線ＣＬ１と略一致した方向を向くように構成されている。
【００２１】
また、連結軸２１には、連結軸２０に支持された工具より小型の工具が支持されており、ホルダー部２の突出板部６の中心線ＣＬ２と連結軸２１の中心線Ｌ３との偏移した距離ｘ２は前記の連結軸２０の距離ｘ１より小さく設定されている。そして、連結軸２１と中心線ＣＬ２の反対側に位置するストッパ軸２６は、その中心線Ｌ４とホルダー部２の中心線ＣＬ２との偏移距離ｙ２が、連結軸２０の場合より小さく設定されている。ストッパ軸２６も、当接する工具に合わせて外径が変化している。すなわち、外径の大きいマイナスドライバ１２が当接する中央の外径は小径となっており、外径の異なる六角棒スパナ１５Ａ〜１５Ｄに合わせてストッパ軸２６の外径を変化させた段付軸となっている。
【００２２】
ホルダー部２のホルダー板３，４の間には、さらに２本の収容ストッパ軸２７が挟まれた状態で支持されている。この収容ストッパ軸２７は、複数の工具１０を収容したときに当接するものであるが、必ずしも必要ではない。なお、チェーン切り１６は位置決めした状態で使用しなくてもよいため、チェーン切り１６に近接するストッパ軸は固定されていないが、同様に揺動させたときに当接するストッパ軸を設けるようにしてもよい。
【００２３】
チェーン切り１６は、略コ字状の本体部１６ａと、本体部の一方の脚部に螺合する押込み軸１８とを備えており、本体部１６ａの他方の脚部と押込み軸との間にチェーン（図示せず）を挟み、押込み軸をねじ込んでチェーンのピンを押出して切断する工具である。他の工具としてホルダー部２に支持されたチェーン切り１６は、押込み軸の基部１８ａが連結軸２２に揺動可能に支持されており、連結軸２２は突出板部の中心線から距離ｘ３だけ偏移している。なお、チェーン切り１６の基部１８ａは基部の中心に連結軸２２が挿入される揺動穴が形成されているため、連結軸を偏移させなくてもよい。
【００２４】
つぎに、図３，４を参照してホルダー部２の中央に位置する照明装置３０について説明する。照明装置３０は基本的には円柱形で、ホルダー部２に対して出没可能であるとともに、回転可能に支持されている。ホルダー部２の板中央部５には円筒部７が固定され円柱状の貫通孔が形成されており、照明装置３０は一方のホルダー板３の面から垂直方向に、すなわち円柱の軸方向に移動できるように嵌合している。円筒部７の内周には、全周にわたって係合溝部７ａが形成されている。照明装置３０は一端が開口し他端が閉塞している円柱状の照明ケース３１と、この照明ケースの開口を塞ぐ蓋体３２とを備えている。
【００２５】
照明ケース３１は、奥の中心に突起３１ａと側壁面に照明孔３１ｂが形成され、外周の円周壁部には開口側から軸方向に沿って２本の摺動溝部３３が対向して形成されている。また、開口側の内面には円周状の浅溝３１ｃが形成されている。この浅溝３１ｃと蓋体３２の外周に形成された円周溝３２ａとの間にゴムリング３４をはめ込むことにより、照明ケース３１と蓋体３２とを固定することができる。また、蓋体３２を外して、後述する内部の電池を交換することができる。発光部としてＬＥＤ３５は外周の照明孔３１ｂに挿入して固定されており、照明ケース３１を回転させることにより発光部の向きを変えることができるように構成されている。
【００２６】
円筒部７の内周の係合溝部７ａには、金属製の回転支持軸３６の両端が係合しており、照明ケース３１の摺動溝部３３に回転支持軸３６が挿入されている。このため、照明ケース３１は回転支持軸３６が摺動溝部３３内を移動できる範囲で軸方向に移動可能となっており、照明ケース３１は回転支持軸３６の両端が係合溝部７ａ内を旋回することで円筒部７内を自由に旋回できる構成となっている。
【００２７】
また、照明ケース３１内には電池３７が挿入されており、電池の一方の極は突起３１ａと回転支持軸３６に当接している。電池３７の他極には押圧バネ３８が接しており、電池の一方の極を回転支持軸３６に押付けている。押圧バネ３８の基部はＬＥＤ３５の一方の端子３５ａに接続されている。ＬＥＤ３５の他方の端子は屈成され、回転支持軸３６と接触しない非導通部３５ｂと、これと接触可能の導通部３５ｃとが形成されている。
【００２８】
なお、ＬＥＤ３５は、電池３７の直流電圧を直接印加するように構成したが、パルス点灯回路等を用いて間歇点灯させるように構成してもよい。このように構成すると、電池の寿命を延ばすことが可能となる。また、照明ケース３１に対して蓋体３２はゴムリング３４を介して固定するように構成したが、蓋体をケースにねじ込むように構成してもよい。
【００２９】
前記の如く構成された本実施形態の手動工具１の動作について以下に説明する。この手動工具１を用いて、例えばプラスねじ（図示せず）を締める場合について述べると、ホルダー部２の内部スペースからプラスドライバ１１を揺動させて、ホルダー部２から突出させる。プラスドライバ１１を約１５０度揺動させるとストッパ軸２５の中央部２５ａに当接して位置決めされ、先端がふらつくことはない。また、プラスドライバ１１の先端部の中心線Ｌ２とホルダー部２の中心線ＣＬ１とが略一致し、同一方向を向く。
【００３０】
このようにしてプラスドライバ１１としてセットした手動工具１を操作するときは、工具先端部１１ａをプラスねじの頭部のプラス穴に挿入してホルダー部２を旋回させる。ホルダー部２は手で握りやすく、工具先端部１１ａの中心線Ｌ２とホルダー部２の中心線ＣＬ１とが略一致するため、容易に旋回できる。また、ホルダー部２は３方向に突出する突出板部６を備え、中心線ＣＬ１からの距離Ｄ（図１ａ参照）が大きくなっているため、プラスねじには大きなトルクが作用させることができる。しかも、工具先端部１１ａはストッパ軸２５により揺動が規制されているため、大きなトルクを確実にねじ頭部に作用させることができ、締め付けを確実にすることができる。
【００３１】
また、マイナスドライバ１２として使用するときは、プラスドライバ１１を反対方向に揺動させてホルダー部２内に収容し、代わりにマイナスドライバ１２を揺動させてホルダー部２から突出させる。マイナスドライバ１２は連結軸２１を中心に揺動し、ストッパ軸２６と当接して位置決めされる。この場合も、マイナスドライバ１２の工具先端部の中心線と、ホルダー部２の突出板部の中心線ＣＬ２とが略一致して同一方向を向くため、マイナスドライバ１２を中心としたホルダー部２の回転が容易に行える。また、マイナスドライバ１２はストッパ軸２６で振れとめされており、ホルダー部２の中心線からの距離Ｄが大きいため、大きなトルクをマイナスねじ（図示せず）にかけることができる。
【００３２】
同様にして、太さの異なる六角棒スパナを選択して揺動させることで、ねじ径の異なる六角穴付ボルトを締め付けることができる。太い六角棒スパナ１３と細い六角棒スパナ１４は、ストッパ軸２５との当接面が異なっており、図１ｂのように、太い六角棒スパナ１３はストッパ軸の細径の左方部２５ｃに当接し、細い六角棒スパナ１４はストッパ軸の大径の右方部２５ｂに当接するため、工具の先端はホルダー部２の中心線ＣＬ１と略一致する方向を向く。このように、太さの異なる工具でも、工具の中心線とホルダー部の中心線との方向を略一致させることができ、工具の回転を容易に行える。
【００３３】
また、チェーン切り１６を使用するときは、連結軸２２を中心にチェーン切り１６を揺動させ、ホルダー部２から突出させる。押込み軸１８に対して本体部１６ａを緩めて他方の脚部との間にスペースを空け、このスペースにチェーン（図示せず）を挟んで押込み軸１８の先端をチェーンのピンに当て、ホルダー部２を回して押込み軸１８を押込んでいくとピンを軸方向に移動させて外すことができ、チェーンを切ることができる。このように本実施形態の手動工具１は、プラスねじ、マイナスねじ、各種の六角穴付ボルトを確実に締め付けることができると共に、チェーンを切断することができ、自転車用の工具として好適である。
【００３４】
ねじ締め等の作業を暗所で行うときには、照明装置３０を機能させることで、ねじ締め等の作業を容易に行うことができる。ホルダー部２の中央の円柱形状の照明ケース３１を軸方向に摺動させてホルダー板３から突出させると、円柱面の途中に位置するＬＥＤ３５が露出して点灯する。すなわち、図３ａの状態から、照明ケース３１を左方に押出し、ホルダー部２から突出させると、回転支持軸３６に対して摺動溝部３３が移動し、図３ｂのように蓋体３２と回転支持軸３６が当接して止まる。この状態では、ＬＥＤ３５の端子の導通部３５ｃは回転支持軸３６と接触し、金属製の回転支持軸３６を通して電池の極と導通する。そして、ＬＥＤ３５は点灯し、その光は突出している工具の先端を照射する。照明ケース３１は外周に沿って３６０度にわたって旋回可能であり、使用する工具の方向にＬＥＤ３５を自由に向かせることができ、これにより工具先端の方向を照射することができる。
【００３５】
ねじ締め作業等の作業が終わると、プラスドライバ１１等の揺動された工具を逆方向に揺動させてホルダー部２の収容空間である間隔Ｓ内に収容する。また、照明装置３０を使用していた場合は、照明ケース３１をホルダー部２内に押込むと、回転支持軸３６に対してＬＥＤ３５の導通部３５ｃが移動して、回転支持軸３６と非導通部３５ｂとが対向し、ＬＥＤ３５は消灯する。これにより、手動工具１は突出物が無くなり、収納や搬送に便利な形状となる。
【００３６】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、複数の工具としてプラスドライバ、マイナスドライバ、六角棒スパナの例を示したが、先端が特殊形状のドライバやナット回し等の工具でもよいことは勿論である。また、直径の異なる複数のドライバを支持したものや、ナット回し等の工具や、ねじ切りようのタップ等を揺動できるように支持してもよい。
【００３７】
照明装置は３つの照明部を有して、３つの連結軸に支持された工具に合わせて、選択的に点灯するように構成してもよい。照明装置はホルダー部から突出したときに自動的にスイッチが入る構成としたが、別のスイッチを設けて照明するように構成してもよい。さらに、照明装置の移動、回転機構は、図示した例に限られるものでなく、他の構成でもよいことは勿論である。
【００３８】
【発明の効果】
以上の説明から理解できるように、本発明の手動工具は、握りやすいホルダー部で大きな回転トルクをねじ等に与えることができ、工具先端がホルダー部の中心と略一致しているため回転しやすく、確実にねじ止め等を実行することができる。また、照明装置により、工具先端部を照明することができるため、暗所でのねじ締め等の作業が容易に行える。
【図面の簡単な説明】
【図１】本発明に係る手動工具の一実施形態を示し、（ａ）は正面図、（ｂ）は右側面図。
【図２】（ａ）は図１の平面図、（ｂ）は図１の底面図。
【図３】（ａ）は図１ａのＡ−Ａ線に沿う照明装置を示す要部断面図、（ｂ）は点灯状態を示す要部断面図。
【図４】（ａ）は、図３のＢ−Ｂ線に沿う要部断面図、（ｂ）は回転した状態の要部断面図。
【図５】従来の複数の工具を備えた手動工具を示し、（ａ）はその構成図、（ｂ）は使用状態説明図。
【符号の説明】
１…手動工具、２…ホルダー部、３，４…ホルダー板、５…板中央部、６…突出板部、１０…工具、１１…プラスドライバ、１２…マイナスドライバ、１３，１４，１５Ａ〜１５Ｄ…六角棒スパナ、１６…チェーン切り、２０，２１，２２…連結軸、２５，２６…ストッパ軸、３０…照明装置、３３…摺動溝部、３５…ＬＥＤ（照明部）、３６…回転支持軸、３７…電池、Ｓ…間隔（収容空間）
【図１】
2004358592.tif 000003
【図２】
2004358592.tif 000004
【図３】
2004358592.tif 000005
【図４】
2004358592.tif 000006
【図５】
2004358592.tif 000007